Podtech/llm-jp-corpus-v4-ja_patent huggingface dataset:
(57)【要約】【課題】本考案のバックミラーはストーカーまたは痴漢、あるいは路上強盗・通り魔または待ち伏せひったくり等、後方確認をして犯罪防止をする。【解決手段】本考案は２可塑性線材の両端に３クリップを取付け、一方は５帽子の６ツバに取合い、もう一方は１バックミラーを取付ける、この１バックミラーで背後の様子を確認することで防犯防止あるいは物色中の者には警戒態勢表示として抑止にも役立てる。【選択図】　　図４
0003097491.tif 000002
【実用新案登録請求の範囲】
【請求項１】
可塑性部材両端部へクッリプを取付け、いずれかの端部のクリップでミラーを止める、もう一方の端部のクリップにて帽子等のツバ・フレーム等へ止める、着用物変更・取付け位置の変更にともなう形態変形あるいは状況変化によるミラー交換も僅かな時間で対応できることを特徴とする歩行者用バックミラー。
【考案の詳細な説明】
【０００１】
【考案が属する技術分野】
本考案は歩行時に使用を可能にしたバックミラーに関するものである。
【０００２】
【従来の技術】
本来バックミラーは乗物に使うもので歩行者が使用する必要性がなかった。
【０００３】
【考案が解決しようとする課題】
尾行して来る犯罪者の防犯対処にはつねに後方確認の振り返るという行動が要求される、人通りが少ない寂しいところ、又は夜道ストーカーまたは痴漢あるいは路上強盗・通り魔ではないかと何回も振り返ることは同一方向歩行者の場合は失礼になり不快感を与えてしまう、それゆえ振り返ることを遠慮すると犯罪者を背後に近付けてしまうことになる。
【０００４】
【課題を解決するための手段】
同一方向歩行者に不快感を与えず尾行して来る犯罪者の防犯対処に後方確認の方法としてバックミラーが有効な手段となる、技術的には各素材の開発進歩により小型軽量強力化が進み帽子のツバ等に取付けることも可能になった。
【０００５】
【考案の実施の形態】
帽子のツバへバックミラーの向きを考慮してクリップで取付け、可塑性線材にて微調整し正しい向きにする、未使用時可塑性線材を曲折させ収納可能としている。
【０００６】
【実施例】
添付図に従って実施例を説明する。アクリル等割れにくい適宜材の１バックミラーは２可塑性線材端部の３クリップにて取付ける、もう一方の端部にも３クリップが取付けてあるがこれは帽子等のツバに取合う、３クリップと２可塑性線材の継手４線材受けホルダーは硬質適宜材。
【０００７】
２可塑性線材両端部の３クリップは方向性がなく１バックミラーはどちらに取付けることも可能である、また状況の変化で平面鏡から凸面鏡への交換にも僅かな手間と時間ですむ。
【０００８】
５帽子の６ツバに３クリップにて繋ぎ、その取合うときに概ね１バックミラーの向き調整を３クリップにて行い微調整を２可塑性線材でおこなう、一時格納には２可塑性線材の特性を利用してツバの上に、あるいは６ツバ側の３クリップを外してポッケトにしまうなど使いわけることが出来る。
【０００９】
【考案の効果】
尾行して来る犯罪者は物色後に行動する、そのため駅頭・銀行などを出るときに本考案を着けることにより衆目を集め更に警戒態勢を表現でき抑止効果もあり尾行をさせ難く出来る、また待伏せして追尾してくる犯罪者なども含めて振り返ることもせずに後方確認を容易にし、あるいは同一方向歩行者には不快感を与えずにすむ、引ったくりなどにも効果は期待できる。また、別の使い方として大型店舗等の駐車場出入口、あるいは街中の工事現場搬出入口の通行人と車両の交差する交通整理員には後方確認は欠かすことが出来ないが本考案をヘルメット等への装着でその効果が期待できる、ミラーまでの焦点距離不足には本考案の連結使用で解決を見ることが出来る。
【図面の簡単な説明】
【図１】本考案の帽子のツバに取付けるバックミラーの平面図である。
【図２】平面図をバックミラー（裏面）側からみた正面図である。
【図３】正面図をバックミラー脇より見た側面図である。
【図４】バックミラー使用時を帽子右上からみた姿図である。
【図５】バックミラーを一時格納したところを帽子右上からみた姿図である。
【符号の説明】
１　　　バックミラー
２　　　可塑性線材
３　　　クリップ
４　　　線材受けホルダー
５　　　帽子
６　　　ツバ
【図１】
0003097491.tif 000003
【図２】
0003097491.tif 000004
【図３】
0003097491.tif 000005
【図４】
0003097491.tif 000006
【図５】
0003097491.tif 000007
(57)【要約】【課題】本考案は使い捨て簡易ハンガーを洗濯物干しハンガーに利用する物である。旅行先でも使用できるように携行に便利であり、且つ不要ならば捨てられること。【解決手段】本考案は、伸縮自在な弾性コイルをクリーニング店で使用されているような使い捨て簡易ハンガーに回転させながら巻付けて通し、この弾性コイルに適当数の市販の洗濯バサミを適度な間隔で取付けて実現する。【選択図】　　　　図１
0003097500.tif 000002
【実用新案登録請求の範囲】
【請求項１】
伸縮自在な弾性コイル（１）を簡易ハンガー（３）の下部材に回転させて巻付けて取付け、洗濯バサミ（２）にある穴に前記弾性コイル（１）を通して適当数のこの洗濯バサミ（２）を適度な間隔で吊り下げたことを特徴とする洗濯物干しハンガー。
【考案の詳細な説明】
【０００１】
【考案の属する技術分野】
本考案は、簡易ハンガーに適当数の洗濯バサミを適度な間隔で取付ける手段として、弾性コイルで実現する物干しハンガーに関するものである。
【０００２】
【従来の技術】
板状のハンガーの内側の逆Ｖ字形の線にそって複数個の洗濯バサミを取付けたものがある。（例えば、特許文献１参照）
【０００３】
【特許文献１】
実開平５−２１８９２号公報
【０００４】
【考案が解決しようとする課題】
これらのものは、弾性コイルのように縮まないため、かさ張り、携行に不便などの欠点があった。
【０００５】
【課題を解決するための手段】
本考案は、クリーニング店で使われているような使い捨て簡易ハンガーの下部材に伸縮自在な弾性コイルを回わしながら巻付けて通し、この弾性コイルに適当数の市販の洗濯バサミを適度な間隔で通して吊り下げることよりなる携行型洗濯物干しハンガー。
【０００６】
【考案の実施の形態】
本考案は、簡易ハンガー（３）の下部材に伸縮自在な弾性コイル（１）を回転しながら巻付けて通し、この弾性コイルの下方部（１ａ）に、適度なピッチ間隔で適当数の洗濯バサミ（２）を通し、この弾性コイル（１）を前記簡易ハンガー（３）の大きさに合わして伸ばし両端を市販の洗濯バサミで挟んで固定して使用する。
【０００７】
【実施例】
以下、添付図面に従って一実施例を説明する。図１において、（１）は伸縮自在な弾性コイル、（２）は洗濯物を吊持する洗濯バサミ（市販のもので可）で、図２に示すようにこの洗濯バサミにある穴に弾性コイル（１）を挿通することにより取付けられる。（３）はクリーニング店の使い捨て簡易ハンガーである。伸縮自在な弾性コイルの材質は例えばプラスチックで、コイル内径部の直径を略３ｃｍにし、弾性コイルの下方部（１ａ）には適度なピッチ間隔で上記洗濯バサミを複数個取付けている。この弾性コイル（１）は前記簡易ハンガー（３）の下部材に回転しながら巻付けて取付けられ、伸ばされて両端を洗濯バサミ（２）で挟さまれて簡易ハンガー（３）に固定されている。
【０００８】
次に使用法を説明する。
不使用時は、簡易ハンガー（３）の両端で保持している洗濯バサミ（２）を外せば、弾性コイル（１）が収縮しそのまま保管又は携行する。使用時はこの弾性コイルを回転しながら簡易ハンガー（３）の下部材に巻付け挿通し、適当数の前記洗濯バサミ（２）を適度なピッチ間隔でこの弾性コイル（１）に通し、この弾性コイル（１）を伸ばし、両端を簡易ハンガー（３）に前記洗濯バサミ（２）を用いて固定して取付ける。
【０００９】
【考案の効果】
本考案は、以下の作用効果が期待できる。
（イ）適度なピッチ間隔をおいてきちんと弾性コイルに取付けた洗濯バサミで洗濯物を保持するので、風が吹いても洗濯物が片寄らない。
（ロ）弾性コイルは不使用時には取り外せば自然に収縮するのでかさ張らなく、携行に便利である。
（ハ）簡易ハンガーは、クリーニング店の使い捨ての物を使用するので有効利用でき環境に優しい。
（ニ）簡易ハンガーはクリーニングに付いていた物をそのまま使用し、洗濯バサミは市販品であり、弾性コイルは市販されている物でも間に合うし、製作する場合でも形状が簡単であるため、極めて製造コストが低くなる。
【図面の簡単な説明】
【図１】弾性コイルを使用した洗濯物干しハンガーの実施方法を示した説明図である。（実施例１）
【図２】弾性コイルに洗濯バサミを取付けた部分を示すため、図１の一部を側面から見た拡大図である。（実施例１）
【符号の説明】
１　弾性コイル
２　洗濯バサミ
３　簡易ハンガー
【図１】
0003097500.tif 000003
【図２】
0003097500.tif 000004
(57)【要約】　　　（修正有）【課題】エプロンの着脱が容易にでき、しかも手拭きのタオルを別に用意しなくても良いエプロンを提供することである。【解決手段】タオル地のエプロン本体１１に筒縫い部を形成し、その筒縫い部１２にホルダー部材１３を貫通させ、そのホルダー部材でエプロン本体を人の腰部に着脱可能に装着する。これにより、エプロンの着脱が迅速に行え、エプロン本体で手を拭くことができる。【選択図】　図１
0003097485.tif 000002
【実用新案登録請求の範囲】
【請求項１】
タオル地のエプロン本体と、前記エプロン本体に形成された筒縫い部と、前記筒縫い部を貫通し前記エプロン本体を人の腰部に着脱可能に装着するための前記エプロン本体と同じ色調のホルダー部材とを備えたことを特徴とするエプロン。
【考案の詳細な説明】
【考案の属する技術分野】
本考案は、主として炊事する際に衣服の上から身に着けるエプロンに関する。
【従来の技術】
炊事する際に衣服の上から身に着けるエプロンは、一般に長方形の布地で形成されており、いずれかの一辺の両端に縫いつけられた一対の紐で人の腰部に結んで身に着けるようにしている。また、高齢者や障害者が食事や洗面を行う際に便利なように、ワンタッチで取り外しを可能にしたエプロンがある（例えば、特許文献１参照）。
【特許文献１】
特開２００２−３０２８１２号公報
【考案が解決しようとする課題】
しかし、紐で腰部に結んで身に着けるエプロンでは、紐を解くのに時間がかかり迅速にエプロンを外せないことがある。例えば、来客があったり、ちょっとした買い物に行かなければならなくなったりした場合には、エプロンを外して来客の応対したり買い物に行くことになるが、エプロンの紐を解くのに時間がかかる場合には、次の作業に迅速に移行することができない。
また、高齢者や障害者用のワンタッチで取り外しが可能なエプロンでは、エプロン首部の固定部を円みを帯びたＵ字型の弾力性樹脂製心材にて構成し、首に装着するものであるので、ほぼ同じ位置でほぼ同じ姿勢で作業をする場合には適しているが、炊事の際のように姿勢が変化する場合には適していない。
このように、衣服の上から紐で腰部に結んで身に着けるエプロンでは、紐を解くのに時間がかかり、次の作業に移る際に手間がかかる。また、手を拭くには別にタオルを用意しておかなければならない。一方、首に装着するものでは、炊事する際に使用するエプロンとしては不向きである。
本考案の目的は、エプロンの着脱が容易にでき、しかも手拭きのタオルを別に用意しなくても良いエプロンを提供することである。
【課題を解決するための手段】
本考案のエプロンは、タオル地のエプロン本体と、前記エプロン本体に形成された筒縫い部と、前記筒縫い部を貫通し前記エプロン本体を人の腰部に着脱可能に装着するための前記エプロン本体と同じ色調のホルダー部材とを備えたことを特徴とする。
【考案の実施の形態】
以下、添付図面に従って本考案の実施の形態を説明する。図１は、本考案の実施の形態に係わるエプロンの斜視図である。エプロン本体１１はエプロンの前掛け部分であり、タオル地の布で長方形状に形成されている。そして、長方形状のエプロン本体１１の一辺には筒縫い部１２が設けられている。筒縫い部１２はエプロン本体１１の辺部を折り返して糸で縫って形成される。
この筒縫い部１２には、図２に示すようなホルダー部材１３が貫通して配置される。ホルダー部材１３は弾力性を有し、人の腰部に着脱可能に装着できるようになっており、例えばヘアーバンド式のプラスチックで形成される。また、ホルダー部材１３はエプロン本体１１と同じ色調の色が選択される。
エプロンを身に着ける場合には、ヘアーバンド式のホルダー部材１３を腰部に装着するだけで容易に取り付けることができる。また、エプロンを外す場合もホルダー部材１３を腰部から取り外すだけで容易に外すことができる。また、エプロン本体１１はタオル地で形成されているので、手を拭く場合にはエプロン本体で手を拭くことができる。さらには、ホルダー部材１３の色はエプロン本体１１と同じ色調の色であるので見栄えが良い。
【考案の効果】
以上述べたように、本考案によれば、エプロンの紐部分をヘアーバンド式のホルダー部材にしたので、エプロンの着脱が迅速に行え、また、エプロン本体で手を拭くことができるので、別に手拭きのタオルを用意する必要がなくなる。さらに、エプロン本体からホルダー部材を容易に取り外しできるので、エプロン本体の洗濯も容易に行える。
【図面の簡単な説明】
【図１】本考案の実施の形態に係わるエプロンの斜視図。
【図２】本考案の実施の形態におけるホルダー部材の斜視図。
【符号の説明】
１１…エプロン本体、１２…筒縫い部、１３…ホルダー部材
【図１】
0003097485.tif 000003
【図２】
0003097485.tif 000004
(57)【要約】【課題】梱包、陳列あるいは自動販売機への収納にスペース的な支障を来さずに、飲料缶に景品を付加させること。【解決手段】景品を収納し、飲料缶の缶縁に対し着脱可能に嵌着されるキャップ状容器３であって、この容器の端面は、飲料缶１の缶縁２の平面形状に対応しており、缶縁２の内側及び外側からこの缶縁２を全周に亘り又は部分的に嵌着する嵌着溝４を有し、この嵌着溝４の溝幅を缶縁の厚みよりも若干狭小に形成する。【選択図】図１
0003097489.tif 000002
【実用新案登録請求の範囲】
【請求項１】
景品を収納し、飲料缶の缶縁に対し着脱可能に嵌着されるキャップ状容器であって、この容器の端面は、飲料缶の缶縁の平面形状に対応しており、缶縁の内側及び外側からこの缶縁を全周に亘り又は部分的に嵌着する嵌着溝を有し、この嵌着溝の溝幅を缶縁の厚みよりも若干狭小に形成してなることを特徴とする飲料缶用景品収納容器。
【考案の詳細な説明】
【０００１】
【考案の属する技術分野】
本考案は、缶入り飲料におまけ等の景品を付けて販売する際に、その景品を飲料缶と一体化して提供するための容器に関する。
【０００２】
【従来の技術】
飲料類の販売促進を狙って、ペットボトル入り飲料については、従来、おまけ入りの小袋をボトルの首部に吊り下げた状態で提供する形態が取られていたが、近年では、この吊り下げ形態に代わって、おまけ入り容器を、梱包、陳列時に邪魔にまらない首部に取り付ける形態が提案されている。
【特許文献１】特開２００１−１９９４４４
【０００３】
ところが、缶入り飲料で、飲み口にキャップの付いていない円筒形のプルトップ型のものについては、景品を提供したくても、梱包、陳列等の関係で、これを取り付ける余地が残されていないため、景品付きのものは販売されていないのが現状である。
【０００４】
また、この種の飲料は、自動販売機で提供されることが多く、収納スペースに限りがあることから、景品付きのものを提供することは、本来的にも予定されてはいなかった。
【０００５】
【考案が解決しようとする課題】
本考案は、梱包、陳列あるいは自動販売機への収納にスペース的な支障を来さずに、飲料缶に景品を付加させることのできる景品収容容器を提供することを課題とする。
【０００６】
【考案を解決するための手段】
上記課題を解決する本考案は、景品を収納し、飲料缶の缶縁に対し着脱可能に嵌着されるキャップ状容器であって、この容器の端面は、飲料缶の缶縁の平面形状に対応しており、缶縁の内側及び外側からこの缶縁を全周に亘り又は部分的に嵌着する嵌着溝を有し、この嵌着溝の溝幅を缶縁の厚みよりも若干狭小に形成してなるところに特徴を有する。
【０００７】
【考案の実施の形態】
以下に、図１及び図２に基いて、本考案による飲料缶用景品収納容器の実施形態を説明する。
【０００８】
飲料缶１は、一般には、アルミ缶とスチール缶のいずれかで成形されている。この飲料缶１は、通常は円筒状に成形されるが、角筒状のものであっても本考案容器の適用対象となる。これら飲料缶１の上縁部又は上下両縁部の全周に、缶縁２が形成されている。なお、飲料缶１の内容物である飲料には、ジュース、コーラ、コーヒー等のソフトドリンクの外、アルコール飲料等、飲料であれば種類は問われない。
【０００９】
上記飲料缶１に入れた飲料に景品を付けて提供すべく、本景品収納容器３が用いられる。この景品収納容器３は、キャップ状に成形され、内部に景品を収容したうえで、上記缶縁２を利用して飲料缶１に着脱可能に取り付けられる。景品収納容器３のスカート部端面は、缶縁２の平面形状に対応しており、この端面部の全周に亘って、嵌着溝４が形成されている。この嵌着溝４は、缶縁２の外側と内側から缶縁２を全周的に嵌着するものである。そして、この嵌着力を強めるため、嵌着溝４の溝幅が、缶縁２の厚みよりも若干狭小に設定されている。嵌着溝４の断面形状は、溝成形及び着缶の容易性を考慮すれば、逆Ｕ字状が好ましいが、着缶が可能な限り、これに限定されるものではない。なお、景品収納容器３の材質に制限はなく、透明、半透明、不透明であるかも問わない。また、その外形形状も、通常は円筒形状であるが、例えば円錐台、角錘台、ドーム状その他の任意の形状が選択可能である。
【００１０】
飲料缶１に景品を付けて提供するには、景品収納容器３内に景品を収容したうえで、その嵌着溝４を缶縁２に合わせ、景品収納容器３全体を飲料缶１に押し付ければよい。これで、景品入りの景品収納容器３は飲料缶１に容易に着缶する。着缶状態では、嵌着力が強いため、容易には脱缶しない。また、飲料缶１と景品収納容器３とは略同一直径となっていて、景品収納容器３の高さ分だけが体積上増加することになる。したがって、これらの梱包、陳列も従前と変わりなく行なうことができる。さらに、景品収納容器３を薄型にすれば、従前の自動販売機でも対応させることができる。
【００１１】
景品を取り出すには、景品収納容器３を力強く引っ張ればよい。これで、嵌着溝４と缶縁２との嵌着状態が外れ、景品収納容器３は飲料缶１から脱缶する。
【００１２】
図２には、本考案の第２の実施例が示されている。この実施例では、景品収納容器３のスカート部端面の複数箇所に切り欠き５が形成され、嵌着溝４は、この切り欠き５以外のスカート部端面に形成されている。この実施例によると、嵌着溝４が部分的に形成されていることになり、缶縁２との嵌着も部分的となる。したがって、実施例１の全周的な嵌着に比べ、嵌着誤差の補正が可能となって、景品収納容器３の嵌め付けがさらに容易となる。なお、切り欠き５は、同一の長さで等間隔に形成されるのが好ましい。その他の構成及び作用は第１の実施例に準じる。
【００１３】
【考案の効果】
上記構成の本考案の景品収納容器によれば、飲料缶と略同一径の状態で景品を収容することができるので、梱包、陳列あるいは自動販売機への収納には、スペース的な支障を来すことなく、飲料缶に景品を付加させることができる。
【図面の簡単な説明】
【図１】本考案の第１の実施例を示す分離状態の断面図である。
【図２】本考案の第２の実施例を示す景品収納容器の部分拡大斜視図である。
【符号の説明】
１　　　　飲料缶
２　　　　缶縁
３　　　　景品収納容器
４　　　　嵌着溝
５　　　　切り欠き
【図１】
0003097489.tif 000003
【図２】
0003097489.tif 000004
(57)【要約】【課題】点眼薬・点鼻薬等滴下薬液の容器を携帯する際、衣服のポケットでは落とし易く、バッグの中では探すのに手間取ることがある等の不都合を改善する。【解決手段】本考案は、容器のキャップにクリップ様の留め具を付すことで、容器が衣服やバッグに固定され、携帯時の利便性を高める。【選択図】　図１
0003097487.tif 000002
【実用新案登録請求の範囲】
【請求項１】
キャップに留め具を付した点眼薬・点鼻薬等滴下薬液の容器
【考案の詳細な説明】
【０００１】
【考案の属する技術分野】
本考案は点眼薬・点鼻薬等滴下薬液容器の形状に関する。
【０００２】
【考案が解決しようとする課題】
従来の容器は、携帯する際、衣服のポケットに入れておくと落としたり、バッグの中に入れておくと探すのに手間取ることがあった。
【０００３】
【課題を解決するための手段】
本考案は、容器のキャップにクリップ様の留め具を付すことで、容器が衣服やバッグに固定され、携帯時の利便性を高める。
【０００４】
【考案の実施の形態】
通常、容器は樹脂製であるので、金型の変更により製造できると考える。
【０００５】
【考案の効果】
本考案は、留め具によって固定性を高めるが、特に衣服のポケットに入れる場合を考え、ポケットの底に容器の底面が接する程度の長さにすることで、より安定性を増す。一見筆記具のようなその形状は、デザイン的にもおもしろい効果があると考える。
【図面の簡単な説明】
【図１】キャップを外した状態を示した斜視図である。
【図２】キャップを外した状態を示した正面図である。
【図３】キャップを外した状態を示した側面図である。
【符号の説明】
１　容器本体
２　薬液滴下ノズル
３　キャップ
４　留め具
【図１】
0003097487.tif 000003
【図２】
0003097487.tif 000004
【図３】
0003097487.tif 000005
(57)【要約】【課題】入浴する事で濡れてしまう入浴道具類を収納し、快適に持ち運びの出来る携帯用の入浴道具箱を提供することである。【解決手段】底部に近い位置の内側面にネット状板を設ける筒状の容器本体と取っ手としての把手を設ける上蓋と底蓋とから成り、これらが互いに分離でき且つパッキングを介して密封収納出来るように着脱自在に合体できる携帯用入浴道具箱として課題を解決するものである。【選択図】　　　　図１
0003097486.tif 000002
【実用新案登録請求の範囲】
【請求項１】
両端を開口する筒状本体の底側となる一端側近傍内部にネット板を設け、前記開口部に於いて、ゴム状弾性材によるパッキングを介して、前記筒状本体と着脱自在に結合する把手を有する上蓋と底蓋とにより水分を遮断することの出来る携帯用入浴道具箱。
【考案の詳細な説明】
【０００１】
【考案の属する技術分野】
本考案は、銭湯やフィットネスクラブ等の入浴道具を持参で移動せざるを得ない場合に、容易に持ち運びのできる入浴道具の収納箱に関するものである。
【０００２】
【従来の技術】
自宅に浴室を有する家庭が大半を占める今日においては、入浴道具を移動させるという概念が無く、従って、移動専用の入浴道具箱は存在せず、単に籠或いは箱状の入れ物を、個々人の道具類に合わせて選択して代用しているのが現状である。
【０００３】
【考案が解決しようとする課題】
上述のように、専用の物が無いと言うことで、他の入れ物を代用しているために、以下に示す不具合が生じている。
その一つには、入浴後に、籠や洗浄のためのボトル類、タオル等が湯で濡れ、そのままの状態で脱衣所に持ち込めば床が濡れてしまい、また道具類の全ての水分をタオル等でふき取り、水分を除去する事には手間が要かる、と言う問題がある。
更に、水分を含んでしまった道具類やタオルを持ち帰る際に、そのままの状態で籠等に入れるとバッグ中の他の物品が湿気を帯びることになり、その為に、大多数の人は、ビニール袋等を用意し、その中に水分を含む道具類を納め、その上でバッグに収納すると言う方法で持ち帰っているが、この行為の煩わしさが避けられない、と言う問題もある。
【０００４】
【課題を解決するための手段】
上記問題を解決するために、本考案は以下に示す構成の専用箱として課題を解決しているものである。
両端を開口する筒状本体の底側となる一端側近傍内部にネット板を設け、前記筒状本体の両端開口部に、ゴム等の弾性材で成るパッキングを介して、把手付きの上蓋と底蓋を着脱自在に結合して封水するもので、入浴時には蓋を分離して筒状本体のみを使用し、水分をネットを通して外部に排除し、携帯時には蓋をして移動する入浴道具箱とするものである。
【０００５】
【考案の実施の形態】
以下、図面に示す実施例に従って、本考案の実施形態を詳述する。
図１は、本考案の一実施例を示す断面図であるが、上下の端面が開口している筒状本体１の下端面に近い位置の内部にネット板２を設け、筒状本体１の上端に、把手を設ける上蓋３を、筒状本体１に嵌着するリング状のパッキング５を介して着脱自在に嵌合させ、下端を、リング状パッキング６を介して筒状本体１と底蓋４を着脱自在に嵌合させて成る携帯用箱である。上蓋３には取っ手部に把手９を設け、未使用時にはこの把手９は横に倒して置くように設けることが実用的である。
本実施例に於いてはリング状パッキング５を筒状本体１に嵌着したものを示したが該パッキング５を上蓋３、底蓋４に設けることも可能であり、その選択は全体の構成上の設計で自由に選択出来るものである。
上蓋３及び底蓋４に可撓性を有する素材を用いることで、筒状本体１の凸部をかわして嵌合させることは容易となる。
【０００６】
図２は、図１に示す実施例の使用状態を表す分解図である。浴室内で道具を使用する時には、筒状本体１、上蓋３及び底蓋４を分離して、筒状本体１のみを用い、この筒状本体１内に納める道具類の水分は、ネット板２の隙間から容易に外に流れ出て、筒状本体１内に水の溜まることは無い。
入浴後には、筒状本体１内に道具を納めた状態のままで上蓋３と底蓋４で封じ、パッキング５及び６により封水されて水分が箱の外に漏れることが無くなり、持ち運びの出来る状態となる。
【０００７】
図３は他の実施例を示す断面図であり、本体と蓋との結合状態を表すものである。筒状本体１と上蓋３及び底蓋４は平パッキング７及び８を介して螺合しているものであり、更に、ネット板２は別体に形成されており、筒状本体１の内側に設けられる凸部１０の上に着座して成る箱でも可能であることを示すものである。
【０００８】
図示の実施例は、筒状本体として円筒を念頭に置きながら示したが、この筒状は円形以外に、多角形等自由に選択することも、ネット板を筒状本体と一体に成形しても別体として設けることも可能であり、要するに、水切れのために網状の空隙面積を大きく採れるものであれば、その形を問うものでは無い。更に、結合の手段として嵌合或いは螺合以外の着脱自在の、例えばフック形式の結合でも着脱可能のものであれば本技術範囲を逸脱するものでは無いことは当然である。
亦、最適には、本考案に関わる箱の材質は汎用の合成樹脂が望ましいが、その他の素材を用いることは勿論可能である。
【０００９】
【考案の効果】
大型の娯楽入浴施設或いはフィットネスクラブが近年、次々と開設され充実されつつある現在、旅行以外に入浴道具を持ち運びする機会が増えることが予想されるが、今日まで、専用のバッグすら無く、代用品を使用せざるを得ない状態を余儀なくされている現状を変え、これまでの不便さを解決するという特有の効果を有する以外に、入浴道具以外の湿気を帯びた物品をも封水して収納して、湿気による不快感を除去する場合にも使用できる効果を有する。
【図面の簡単な説明】
【図１】一実施例に於ける断面図である。
【図２】図１に於ける分解図である。
【図３】他の実施例を示す断面図である。
【符号の説明】
１　　筒状本体
２　　ネット板
３　　上蓋
４　　底蓋
５　　リング状パッキング
７　　平パッキング
９　　把手
１０　凸部
【図１】
0003097486.tif 000003
【図２】
0003097486.tif 000004
【図３】
0003097486.tif 000005
(57)【要約】【課題】汎用塵取りと共に用いて刷毛先を曲げ変形させることなく保存でき、また運搬などの取り扱いにも便利な汎用の箒を提供する。【解決手段】箒柄の略中腹部において、塵取り手提部に設けられた湾状箒柄受１内に収まる箇所２Ａと、その上下にあって該湾状箒柄受１内に収まらない箇所２Ｂからなる箒支持部２を形成する。【選択図】図１
0003097488.tif 000002
【実用新案登録請求の範囲】
【請求項１】
箒柄の略中腹部において、塵取り手提部に設けられた湾状箒柄受１内に収まる箇所２Ａと、その上下にあって該湾状箒柄受１内に収まらない箇所２Ｂからなる箒支持部２を形成したことを特徴とする箒。
【考案の詳細な説明】
【０００１】
【考案の属する技術分野】
この考案は、汎用塵取りと共に用いて取り扱いに便利であり休止時に先端を変形させない箒に関する。
【０００２】
【従来の技術】
従来より広く使われている箒の多くは、使わないときに吊すための輪やループ紐を柄の上端に設けている。ところが箒は塵取りと共に用いるのが普通であるから、非使用時も塵取りに近接して置きがちであり、その際、箒を吊す釘などが近くにないことが多く、結局、図３のように、塵取りの手提部に柄をもたれ掛けるようにして塵取りと共に置くことが多い。これを想定して、最近の塵取りには図２のように、手提部の上方にＣ字状の湾状箒柄受１が設けられているのが普通である。
【０００３】
【考案が解決しようとする課題】
このような現状において、図３のように箒を斜めに立て掛けて放置すれば、重力により箒の刷毛先端部が湾曲し、時間と共にそのような変形が固定して、その機能と美観を著しく損なうことになる。
【０００４】
これを防ぐために、最近では塵取りの手提部を箒の柄以上に高くして、これに吊下できるようにしたり、或いは塵取り手提部の湾状箒柄受１を掴み機能をもつホルダー状にしたものも見受けられるが、低コストで汎用一般的な低背塵取りには適用できないという問題点がある。
【０００５】
本考案はかかる問題点を解決して、汎用塵取りと共に用いても刷毛先を変形させることなく保存でき、また取り扱いにも便利な汎用の箒を提供することを課題とする。
【０００６】
【課題を解決するための手段】
図１のように、箒柄の略中腹部において、塵取り手提部に設けられた湾状箒柄受１内に収まる箇所２Ａと、その上下にあって該湾状箒柄受１内に収まらない箇所２Ｂからなる箒支持部２を形成するものとする。
【０００７】
ここにおいて湾状箒柄受１内に収まる箇所２Ａは、元の箒の柄のままでもよいわけであるが、その際にはそこの上下箇所において、湾状箒柄受１より横広がりにしてその内部に収まらなくした例えばリングないし鍔状体のようなものを当該箇所２Ｂとして、上下所定間隔を隔てて取り付けることになる。但し製作上からは、当該２Ａと２Ｂとが一体化された箒支持部２を一部品として箒柄本体に取り付けるようにすることが好ましい。
【０００８】
なお当該箇所２Ｂは、湾状箒柄受１内に収まらなければよいわけであるから、必ずしも連続したリングないし鍔状であるを要せず、部分的に横方に隆起した凸部を設けるのみでもよい。
【０００９】
【作用】
本考案はこのような構成であるから、これを湾状箒柄受１のある汎用塵取りと共に用いた後に放置する場合、箒柄の箒支持部２の中央部である湾状箒柄受１内に収まる箇所２Ａを湾状箒柄受１内に収めて手を放せば、図４のように上方の湾状箒柄受１内に収まらない箇所２Ｂに引っ掛かってそのままぶら下り、下端の箒刷毛部は床に触れず変形もしない。
【００１０】
またこれらを移動させる場合、箒柄の上部を持ち上げれば、下方の湾状箒柄受１内に収まらない箇所２Ｂが湾状箒柄受１に引っ掛かり、図５のように塵取りを吊り下げた形で、箒と塵取りを一緒に持ち運ぶことができる。
【００１１】
【考案の実施の形態】
内径２５ｍｍの湾状箒柄受１を有する手提げ部の低い汎用塵取り用としての、小形箒の直径２２ｍｍの柄中腹部に取り付ける箒支持部２として、長さ５０ｍｍ、内径２２ｍｍ、外径２３ｍｍの筒状体の上端と下端の外方にそれぞれ幅５ｍｍ、突出高４ｍｍのリブを形成し、これを柄の上方より差し込んで所定位置で接着又は融着する。また上方より差し込めない場合は、例えば縦に切り込みを入れた筒状体を形状記憶合金等で作成して、横方から切り込みを広げて装着し固定させる。なお、本考案はかかる例に限定されるものでないことは言うまでもない。
【００１２】
【考案の効果】
このように本考案によれば、よく使われている便利で低コストな汎用塵取りと共に用いる箒が、使用前又は後に所定場所に運ぶ際に塵取りもろとも一緒に片手で持ち運べると同時に、そのまま置けば刷毛先端を曲げ変形させることなく長期にわたって箒を吊り下げておくことができるという効果がある。
【図面の簡単な説明】
【図１】本考案一例の正面図
【図２】本考案と共に用いる塵取りの見取図
【図３】従来の箒の使用形態を示す見取図
【図４】本考案の一使用形態を示す見取図
【図５】本考案の別の使用形態を示す見取図
【符号の説明】
１……湾状箒柄受
２……箒支持部
２Ａ……湾状箒柄受に収まる箇所
２Ｂ……湾状箒柄受に収まらない箇所
【図１】
0003097488.tif 000003
【図２】
0003097488.tif 000004
【図３】
0003097488.tif 000005
【図４】
0003097488.tif 000006
【図５】
0003097488.tif 000007
(57)【要約】【課題】歯列を使わないで振動を起こす。【解決手段】柄１に沿って歯列を設ける代わりに、針金２を巻きつける。針金は密に巻きつけないで、１ｃｍ程の間隔を設ける。丸い棒４を柄１の針金巻きつけ部分に沿って前後に強く擦りつけると、棒４が針金２を乗り越えるたびに柄１が振動し、その振動でプロペラ３が回転する。【選択図】　　　　図２
0003097460.tif 000002
【実用新案登録請求の範囲】
【請求項１】
先端にプロペラを回転自在に取り付けた柄に、針金を間隔を存して巻き付け、針金を巻きつけた部分の柄を棒で前後に擦るようにした振動玩具。
【請求項２】
針金にアルミニューム製のものを用いた請求項１に記載の振動玩具。
【考案の詳細な説明】
【０００１】
【考案の属する技術分野】
この考案は、棒で擦って振動を与えると、プロペラが回る振動玩具に関する。
【０００２】
【従来の技術】
ガリガリトンボと呼ばれる玩具が従来知られている。これは、図１に示すように、柄に沿って鋸歯状に歯列を設け、この歯列を棒で擦ると柄が振動して、柄の先端にピンで取り付けたプロペラが回るようになっている。
【０００３】
【考案が解決しようとする課題】
しかし、ナイフやのこぎりなど簡単な道具を使って、柄に歯列を形成するには多大の手間と時間がかかる。この考案は、これをもっと簡単に作れるようにすることを課題とする。
【０００４】
【課題を解決するための手段】
この考案では、歯列を刻む代わりに、柄に針金を間隔を存して巻きるけるようにしたものである。こうすれば、柄を削る必要がないので、誰でも簡単に作れる。
【０００５】
針金は、アルミニューム製のものを用いれば、曲げやすいので、さらに製作が容易になる。
【０００６】
【考案の実施の形態】
図２および図３に示すように、柄１に沿って針金２を巻きつける。針金は密に巻きつけないで、１ｃｍ程の間隔を設ける。針金の太さは、１．２〜２．０ｍｍ位がよい。針金の端は、柄に穴をあけてその中に通すか、柄に密に巻きつけペンチで潰して、ずれないようにする。なお、柄１は、竹や木製の角断面の棒であり、割り箸を利用してもよい。
【０００７】
プロペラ３は図１のものと同様、紙やプラスチック製の長細い板であり、中心にあけた孔に釘やピンを通して柄の先端に回転自在に支持する。なお、プロペラはガタがあったほうがよく、その中心穴は、釘やピンに比べて大き目にあける。
【０００８】
これで遊ぶには、図２に示すように、一方の手で柄１を支え、他方の手で持った丸い棒４を柄１の針金巻きつけ部分に押し当てて前後に激しく動かす。こうすると、棒４が針金２を乗り越えたり針金の間に落ち込んだりするので柄１が振動し、その振動でプロペラ３が回転する。
【０００９】
図２では丸４棒を柄１の右辺に擦りつけているが、反対側（左辺）に擦りつけると、プロペラは反対方向に回転する。みんなでその理由を考えるのも興味深い。
【図面の簡単な説明】
【図１】従来のガリガリトンボの説明図である。
【図２】この考案の振動玩具の説明図である。
【図３】柄に針金を巻きつけた状態の拡大図である。
【符号の説明】
１　柄
２　針金
３　プロペラ
４　棒
【図１】
0003097460.tif 000003
【図２】
0003097460.tif 000004
【図３】
0003097460.tif 000005
(57)【要約】【課題】上段手帳と下段手帳とを同時に開き、同時に使用または記入等することができる上下２段式手帳を提供すること。【解決手段】上段手帳１と、その表表紙２が挿入された表表紙用ポケット３および裏表紙４が挿入された裏表紙用ポケット５を有し、さらに下段手帳６と、その表表紙７が挿入された下段表表紙ポケット８および下段裏表紙９が挿入された下段裏表紙ポケット１０を有する手帳カバー１１と上下２段に手帳本体を有す上下２段式手帳。【選択図】　図１
0003097459.tif 000002
【実用新案登録請求の範囲】
【請求項１】
上段手帳１の表表紙が挿入された上段表表紙用ポケットおよび裏表紙が挿入された裏表紙ポケットを有し、さらに下段手帳６の表表紙が挿入された下段表表紙用ポケットおよび裏表紙が挿入された裏表紙ポケットを有する手帳カバーと、上下に２冊の手帳とを有することを特徴とする上下２段式手帳。
【考案の詳細な説明】
【０００１】
【考案の属する技術分野】
本考案は、上段、下段の手帳付き手帳に係り、特に上段手帳の記載事項を参照しながら下段手帳に必要事項を記入し、又は確認することができる上下２段式手帳に関する。
【０００２】
【従来の技術】
その日の出来事、週間、月間および年間の予定、計画、懸案事項、覚え事項等を記入する手帳は、ビジネスマンの多くの人に多数使用されており、最近では手帳本体は週間予定で、別に綴じられた月間予定表等を別冊付帯させたものが市販されている。
【０００３】
【考案が解決しようとする課題】
しかし、従来の別冊を付帯した手帳は前記月間予定表を手帳本体の表表紙の内側に設けられた細い帯にその表表紙を挿入して係合させたものが多く、手帳本体の週間予定に必要事項を記入等する場合、別冊の月間予定表を閉じなければならず、他方月間予定表に記入する場合は手帳本体の週間予定表を閉じなければならず、手帳本体と別冊とを同時に開きながら使用することができず、使い勝手が悪いという問題があった。
【０００４】
本考案の課題は、上記従来技術の問題点を完全に解決し、別個に綴じられた手帳月間予定表と週間予定表とを同時に開き、同時に使用または記入等ができる上下２段式手帳を提供することにある。
【０００５】
【課題を解決するための手段】
上記課題を解決するため、本願で実用新案登録する考案は、以下の通りである。上段手帳とその手帳の表表紙が挿入された表表紙ポケット、および裏表紙が挿入された裏表紙ポケットを有し、さらに下段に下段手帳本体とその手帳本体の表表紙が挿入された表表紙ポケットおよび裏表紙が挿入された裏表紙ポケットを有した手帳カバーと上下２段に手帳本体を有す上下２段式手帳。
【０００６】
【考案の実施の形態】
次に、本考案を図面を用いて詳細に説明する。
図１は、本考案の一実例を示す上下２段式手帳の透視図である。図において、この上下２段式手帳は上段本体１と当該手帳本体１の表表紙２が挿入された表表紙用ポケット３および裏表紙４が挿入された裏表紙ポケット５を有し、さらに下段本体６と当該手帳本体６の表表紙７が挿入された下段表表紙用ポケット８及び裏表紙９が挿入された裏表紙ポケット１０を有する手帳カバー１１と上段本体手帳１と下段本体手帳６が基本構成である。
【０００７】
このような構成の上下２段式手帳の作用を図２に基いて説明する。図２は上下２段式手帳の使用状態を示す説明図である。図において、手帳カバー１１の裏表紙側上段の一端に開口する上段本体手帳用ポケット３と上段本体手帳用ポケット５に挿入された上段手帳１の任意の頁が開かれており、また手帳カバー１１の裏表紙下段の一端に開口する下段本体手帳用ポケット８と下段手帳ポケット１０に挿入された下段手帳６の任意の頁が開かれている。従ってこの上下２段式手帳は、上段手帳１の任意の頁を開いた状態で、下段手帳６の任意の頁を開くことにより、下段手帳６に、例えばその日の予定または出来事を記入する際、または下段手帳６の記載事項を確認、参照する際に、上段手帳１の任意の頁の記載事項、例えば年間または月間予定表等を参照すること、または、これに書き加えることができる。つまり上下の手帳で同時に開かれた関連頁が相互に活用できその日の予定または行動に役立たせることができる。
【０００８】
本考案に置いて、手帳カバー１１の真ん中最上段に上段手帳および下段手帳までまたがる栞ひもを複数固定添付し、その栞ひもの１本１２を上段手帳の任意の頁から下段手帳の関連ある任意の頁に垂らしておく、またもう１本の栞ひも１３を上段の別の任意の頁から下段の同じ頁に垂らしておく。すると上段栞ひも１２の頁と下段の頁を開きその日などの予定、記録をする際に、さらに栞ひも１３を動かし栞ひも１３の当該頁も一瞬のうちに開くことができ、３つの頁をほぼ同時に開き検討することができるようになる。故にこの上下２段手帳は単に上下手帳２ページだけの活用だけでなく３頁、または４頁同時の活用ができ、従来の別冊綴じ込み式より、はるかに使用勝手の良い手帳である。
【０００９】
本考案において、手帳カバーの材質としては、例えば透明または着色した合成樹脂シートが好適に使用される。また、本考案において、上下２段の手帳の使用目的は、特に限定されるものではなく、例えば年間、月間、週間予定表の他、データ記録、メモ帳、アドレス帳などを重複活用できる機能をもたせる事もできる。
【００１０】
【考案の効果】
本願の請求項１に記載の考案によれば、上下の手帳２冊を同時に開いて、上段手帳に記載した事項を参照しながら下段手帳を使用することができ、また下段手帳に記載した事項を参照しながら上段手帳を使用することができる。さらに最上の真ん中に栞ひもを２本以上つけることにより、上段手帳の任意の頁にその１本の栞ひもを垂らし、別の任意の頁にもう一本の栞ひもを垂らすことにより、その栞ひもを動かすだけで上段手帳を２頁、下段手帳を１頁、つまり３頁が同時に開き相互に参照しながら使用することができる。
【図面の簡単な説明】
【図１】本考案の一実施例を示す上下２段式手帳の斜視図。
【図２】上下２段式手帳の使用状態を示す説明図。
【符号の説明】
１・・・上段手帳本体、２・・・上段手帳表表紙、３・・・上段手帳表表紙用ポケット、４・・・上段手帳裏表紙、５・・・上段手帳裏表紙ポケット、６・・・下段手帳本体、７・・・下段手帳表表紙、８・・・下段手帳表表紙ポケット、９・・・下段手帳裏表紙、１０・・・下段手帳裏表紙用ポケット１１・・・手帳カバー、１２・・・栞ひもイ、１３・・・栞ひもロ。
【図１】
0003097459.tif 000003
【図２】
0003097459.tif 000004
(57)【要約】　　　（修正有）【課題】各家庭の庭の手入れや、自治体、学校環境整備での外掃作業などを行った場合、大量の草や枯れ葉、枯れ木などが出るが、最近では袋詰めが義務化されている所も多くあり、非常に手間がかかっている。そこで従来のように、ポリバケツに袋をかけ、草や落ち葉を入れた場合、ポリ袋がズレたり、取り出した時にポリ袋に内容物が充分に入っていないなどの問題点があった。また、枯れ木を入れる場合には、袋が破れやすく、必要以上に時間や手間がかかるという問題点を有していた。【解決手段】上記目的を達成するために、考案物に草や枯れ葉、枯れ木などを手で押し込み、圧縮しながら入れる。バケツに一杯になったところで、バケツ全体を市販のポリ袋で上から完全に覆い包み、袋ごとバケツを逆さにする。底面の通気孔１で内容物を落ちやすくし、同じく底面の取っ手２でバケツを抜き上げるようにした。【選択図】　図３
0003097451.tif 000002
【実用新案登録請求の範囲】
【請求項１】
４５ｌ用ポリバケツの蓋接合部分４ケ所と折り返し部分の補強部分をなめらかにカットし、底面に直径７ミリ程度の通気孔を多数開け、取っ手をつけたもの。
【考案の詳細な説明】
【０００１】
【考案が解決しようとする課題】
従来、ポリバケツに袋をかけて草や落ち葉を入れた場合、ポリ袋がズレたり、取り出した時にポリ袋に内容物が充分に入っておらず、また枯れ木を入れる場合には袋が破れ易く、必要以上に時間や手間がかかるという問題点を有していた。
【０００２】
【課題を解決するための手段】
上記目的を達成するために、上記考案物に草や落ち葉、枯れ木を圧縮しながら入れる。一杯になったところで、ポリ袋を上から完全に覆い、袋ごとバケツを逆さにして、底面の取っ手でバケツを抜き上げるようにした。
【０００３】
【考案の効果】
圧縮された内容物がポリ袋の中で戻り、簡単に袋に一杯詰めることができ、枯木なども袋破れを最小限に押さえることができる。
【図面の簡単な説明】
【図１】考案物を逆さにし、底面のみを真上から見た図である。
【図２】考案物の断面図である。
【図３】考案物を逆さにし、底面を斜上から見た図である。
【符号の説明】
１　直径７ｍｍ程度の通気孔
２　取っ手
３　直径１５ｃｍ、深さ５ｃｍ程度の底面裏の取っ手用の谷
４　折り返しの補強部分を本体部分になめらかにカット
【図１】
0003097451.tif 000003
【図２】
0003097451.tif 000004
【図３】
0003097451.tif 000005
(57)【要約】【課題】本考案は、従来まで車両標示灯内部発光装置に用いられていた白熱灯、蛍光灯は振動、熱、湿気に弱く、またそのため夏場では１〜２ヵ月の耐久性しかなかった。また昼間は暗く、その視認性も極めて低かった。【解決手段】耐久性、視認性がより高く、また振動、熱、湿気に強く、さらにその加工性も容易であり、さまざまな形状の車両用標示灯にも対応が可能なネオン管を、車両用標示灯内部発光体装置に用いる。【選択図】図１
0003097450.tif 000002
【実用新案登録請求の範囲】
【請求項１】
車両用標示灯内部発光体にネオン管を用いたことを特徴とする車両用標示灯内部発光装置
【考案の詳細な説明】
【０００１】
【考案の属する技術分野】
この考案は車両用標示灯内部発光体装置に関する。
【０００２】
【従来の技術】
従来の車両標示灯内部発光体装置は、白熱灯、蛍光灯を内部発光体に用いていた。
【０００３】
【考案が解決しようとする課題】
しかしながら、以上の従来技術によれば、白熱灯、蛍光灯を用いた車両用標示灯内部発光体装置は振動、熱、湿気に弱く、そのため夏場では１〜２ヵ月の耐久性しかなかった。また昼間は暗く、その視認性も極めて低かった。
そこでこの考案は、耐久性、視認性がより高く、また振動、熱、湿気に強く、さらに、その加工性も容易であり、さまざまな形状の車両用標示灯にも対応が可能な車両用標示灯内部発光装置を提供することを課題とする。
【０００４】
【課題を解決するための手段】
以上の課題を解決するために、請求項１の考案は、車両用標示灯内部発光体にネオン管を用いたことを特徴とする車両用標示灯である。
【０００５】
【考案の実施の形態】
この考案の一実施形態を図１に示す。
Ａはネオン管であり、これを点灯させるためにはＣのインバーターが必ず必要となる。Ｃのインバーターの役割は普通自動車用バッテリー電圧１２Ｖまたは大型自動車用バッテリー２４Ｖの電圧を、ネオン管を点灯させるために１０００Ｖ以上に変換することを目的とするために設置されるものである。
また、Ｂは法令により定められる非常灯としての役割を負う。
Ｃのインバーターは図２に示されるＤの穴２ヶ所にネジ止めによって固定されうる。
【０００６】
【実施形態の効果】
この実施形態によれば、ネオン管の耐久性、視認性が高く、また振動、熱、湿気に強いという特徴、さらにさまざま形状に対しても容易な加工で対応でき、構造も簡単である。したがって、車両維持、運営のコストの削減につながる。
【０００７】
【他の実施形態】
図１の実施形態ではネオン管自体の形状はＵ型であるが、他の実施形態では円状、四角状等、車両標示灯そのものの形状に合わせて形状を変えても良い。
【０００８】
【考案の効果】
以上説明したようにこの考案によれば、車両用標示灯発光体部分にネオン管を用いることにより、視認性、耐久性、運営上のコスト低減につながる。
【図面の簡単な説明】
【図１】本考案に係る車両用標示灯内部ネオン管式発光装置を上から見た場合の図である。
【図２】本考案に係る車両用標示灯内部ネオン管式発光装置を横から見た場合の図である。
【図３】本考案に係る車両用標示灯内部ネオン管式発光装置を装着するための、台座部分鉄板の図である。
【符号の説明】
Ａ・・・ネオン管
Ｂ・・・法令により車両標示灯内部への装着が義務づけられている非常灯　　　Ｃ・・・電圧を変換するためのインバーター
Ｄ・・・Ｃのインバーターを固定するためのネジ穴
【図１】
0003097450.tif 000003
【図２】
0003097450.tif 000004
【図３】
0003097450.tif 000005
(57)【要約】【技術課題】糊が乾かず、使用に際して滑らず、糊を無駄なく最後まで使用できる糊盆を提供すること。【解決手段】木板を加工して四角形に形成された糊盆本体１と、木板を加工して前記糊盆本体１に蓋をすることができる大きさから成り、且つ、四角形の上面の一辺に沿って巾木３を取り付けると共に前記巾木３の反対側の一辺であって、その下面に同じように巾木４を取り付けて成る蓋体２とで木製糊盆を製作する。このように、糊盆全体を木製とすることにより、その保湿効果で糊が乾かない。また、蓋体２の上に糊盆本体１を載置することで、糊盆本体１が傾斜し、糊が手前の方に寄るため、糊が少量になっても最後まで使い切ることができ、無駄がない。また、盆も安定する。【選択図】　　　　図１
0003097443.tif 000002
【実用新案登録請求の範囲】
【請求項１】
木板を加工して四角形に形成された糊盆本体と、木板を加工して前記糊盆本体に蓋をすることができる大きさから成り、且つ、四角形の上面の一辺に沿って巾木を取り付けると共に前記巾木の反対側の一辺であって、その下面に同じように巾木を取り付けて成る蓋体と、から成る木製糊盆。
【考案の詳細な説明】
【０００１】
【考案の属する技術分野】
本考案は、ふすま紙や建物内の壁や天井等に壁紙を貼る時に使用する糊盆に関する。
【０００２】
【従来の技術】
ふすま紙や壁紙を貼る時には、紙の裏面全体に糊を塗布する必要があり、機械的な糊付機は別にして、通常は刷毛塗りである。そこで、従来は、プラスチック製の糊盆を身体の傍らにおき、これで刷毛に糊をつけながら作業を行っているが、プラスチック製の糊盆の場合、次のような欠点がある。
１．使用している間に盆自体に変形が生じ、特に底が変形してくると刷毛に均一に糊がつかなくなる。
２．使用している間に時間が経つと糊が乾いてしまう。
３．刷毛に糊をつけたり硬さ調整を行うときにすべり易い。
４．刷毛に糊をつけた後、盆の縁でつけ過ぎた糊の量を調節することがあるが、プラスチック製の盆の場合、縁も滑り易く、更に変形していることから、刷毛についた糊の量調整がしにくい。
５．糊の量が少なくなって来たとき、あるいは糊をうすくして使用する場合に、平であると糊量の調整が出来ず、刷毛に多くつき過ぎてしまうことから、盆の下に枕をかって糊を寄せて使用しているが、安定性が悪い。
【０００３】
【考案が解決しようとする課題】
本考案の目的は、プラスチック製の糊盆が有していた上記１〜５の欠点を解消した糊盆を提供することである。
【０００４】
【課題を解決するための手段】
上記目的を達成するため、請求項１に記載の考案においては、木製糊盆において、木板を加工して四角形に形成された糊盆本体と、木板を加工して前記糊盆本体に蓋をすることができる大きさから成り、且つ、四角形の上面の一辺に沿って巾木を取り付けると共に前記巾木の反対側の一辺であって、その下面に同じように巾木を取り付けて成る蓋体と、から成るものである。
【０００５】
【作用】
糊盆本体内に糊を入れておき、この糊を刷毛につけながらふすま紙や壁紙に糊を塗布する。糊の量が少なくなって来たときには、蓋体の上に糊盆本体を載置すると、糊盆が斜めになるため、糊が下方に寄り、無駄なく、最後まで使用できると共に糊をうすめて使用する場合にも、刷毛につく糊量を適量に調整できる。
【０００６】
【実施例】
図１〜図３に基づいて本考案に係る糊盆の構成とその使用例を詳細に説明する。図１は、箱本体と蓋体を別けた状態の斜視図、図２は箱本体内に糊を入れ、蓋体を閉じた状態の断面図、図３は蓋体の上に箱本体を載置して斜めにした状態の説明図である。これら図１〜図３において、１は木板を加工して製作した四角形の箱本体、２は木製の板を加工して製作した蓋体であって、この蓋体２の上面の一辺には巾木３が取り付けられていると共にこの巾木３の反対側の蓋２の下面にも巾木４が取り付けられていて、この巾木３、４も共に木製である。
上記糊盆は、蓋体２をあけて糊盆本体１内に糊５を入れて用いられる。そして、糊５の量が少なくなったときには、図３に示すように、蓋体２の上に糊盆本体１を載置すると、糊盆本体１が斜めとなり、糊５が手前（下）の方に寄るため、刷毛６を使用して最後まで無駄なく使用できる。
【０００７】
【考案の効果】
本考案は以上の如き構成と作用から成り、次の効果を奏する。
１．糊盆本体及び蓋体の全部が木製のため、プラスチック製のように変形しない。このため、刷毛に糊が均一につく。
２．糊盆本体は木製のため、刷毛に糊をつけるとき、あるいは水を入れて調合したりするときに、糊盆本体が滑らない。
３．糊盆本体は木製のため、刷毛についた糊の量を糊盆本体の縁で調整するときに、刷毛と良く馴染み、適量に調整しやすい。
４．糊盆本体を木製としたことにより、糊盆本体に水分の含有があり、糊が乾かない。
５．昼休み等において、蓋をしておくと、糊盆本体及び蓋体の双方が木製のため、保湿効果が高く、この場合も糊が乾かない。よって、水を入れたりして糊の硬さの調整を行ったりする必要がないため、作業性が向上する。特に、翌日あるいは数日間であれば、蓋体を閉じておく限り、そのまま直ぐに糊の使用ができる。
６．蓋体に巾木を取り付けたことにより、蓋体を置いたときに傾斜がつく。このため、この蓋体の上に糊盆本体を載置すると、糊盆本体も斜めとなり、糊が手前の方に寄ってくるので、残量が少なくなったときでも、最後まで糊の使用ができて無駄がないと共に巾木で盆は安定し、更に糊をうすめて使う場合に糊量の調整がしやすい。
【図面の簡単な説明】
【図１】本考案に係る糊盆の説明図。
【図２】糊盆内に糊を入れ、蓋体を閉じた状態の断面図。
【図３】糊盆本体を斜めにした糊を寄せた状態の説明図。
【符号の説明】
１　糊盆本体
２　蓋体
３・４　巾木
５　糊
６　刷毛
【図１】
0003097443.tif 000003
【図２】
0003097443.tif 000004
【図３】
0003097443.tif 000005